(57)【要約】【課題】従来装置では、偽造のトナーカートリッジ抽出に、トナーカートリッジの個別情報が装置本体と適合するものかどうかを判定しているため、装置毎に異なる個別情報のトナーカートリッジが存在し、管理が大変になっているという問題があった。【解決手段】カラープリンタは、その全体を制御するカラープリンタ制御部３７と、認証データを格納する認証データ格納部３８と、メモリタグ２３と通信するＲＦ通信部２１とを備え、メモリタグ２３は、ＲＦ通信部２１と通信する通信部（２９，３１，３２，３３と、認証情報を格納可能な認証情報格納部３５と、通信により認証データを受けて、認証データと認証情報とから、認証の可否を判断した判定結果を出力する認証情報制御部３４とを備え、カラープリンタ制御部３７は、取得した判定結果にもとづいて、装置制御の内容を決定する。【選択図】図３
2013049180.tif 000002
【特許請求の範囲】
【請求項１】
交換部品を着脱自在に備える画像形成装置において、
前記画像形成装置の全体を制御する装置制御部と、
前記画像形成装置に与えられた認証データを格納する認証データ格納部と、
前記画像形成装置内に備えられて前記交換部品と通信する第１の通信部と
を備え、
前記交換部品は、
前記第１の通信部と通信する第２の通信部と、
複数種類の認証情報を格納可能な認証情報格納部と、
前記通信により前記認証データを受けて、該認証データと前記認証情報格納部に格納された認証情報とから、認証の可否を判断した判定結果を出力する認証情報制御部と
を備え、
前記装置制御部は、前記第１の通信部及び前記第２の通信部を介して取得した前記判定結果にもとづいて、装置制御の内容を決定することを特徴とする画像形成装置。
【請求項２】
前記認証情報制御部は、
前記通信により前記認証データを受けて、前記認証データに対応する選択情報を出力する選択情報生成部と、
前記通信により前記認証データを受けて、前記認証データに対応する比較情報を出力する比較情報生成部と、
前記選択情報で決まるアドレスに前記認証情報を選択的に格納する前記認証情報格納部から、前記選択情報に基づいて読み出した認証情報と前記比較情報とを比較し、一致するか否かの前記判定結果を前記第２の通信部に出力する比較判定部と
を備えたことを特徴とする請求項１記載の画像形成装置。
【請求項３】
前記選択情報生成部及び前記比較情報生成部は、入力する前記認証データに論理演算を施して前記選択情報及び前記比較情報を生成することを特徴とする請求項２記載の画像形成装置。
【請求項４】
前記第２の通信部、前記認証データ格納部、及び前記認証情報制御部はメモリタグであり、前記交換部品が前記メモリタグを備えた構成であることを特徴とする請求項１乃至３の何れかに記載の画像形成装置。
【請求項５】
前記メモリタグは、データの書き込み及び読み出しが可能な不揮発性メモリを備えたことを特徴とする請求項４記載の画像形成装置。
【請求項６】
前記メモリタグは、前記通信によって発生する誘導電圧に基づいて電力を供給する整流部を備えたことを特徴とする請求項４又は５記載の画像形成装置。
【請求項７】
認証データが与えられ、第１の通信部を備えた画像形成装置に着脱自在に装着される交換部品において、
前記第１の通信部と通信する第２の通信部と、
複数種類の認証情報を格納可能な認証情報格納部と、
前記通信により前記画像形成装置から前記認証データを受けて、該認証データと前記認証情報格納部に格納された認証情報とから、認証の可否を判断した判定結果を出力する認証情報制御部と
を備えたことを特徴とする交換部品。
【請求項８】
前記認証情報制御部は、
前記通信により前記認証データを受けて、前記認証データに対応する選択情報を出力する選択情報生成部と、
前記通信により前記認証データを受けて、前記認証データに対応する比較情報を出力する比較情報生成部と、
前記選択情報で決まるアドレスに前記認証情報を選択的に格納する前記認証情報格納部から、前記選択情報に基づいて読み出した認証情報と前記比較情報とを比較し、一致するか否かの前記判定結果を前記第２の通信部に出力する比較判定部と
を備えたことを特徴とする請求項７記載の交換部品。
【請求項９】
前記選択情報生成部及び前記比較情報生成部は、入力する前記認証データに論理演算を施して前記選択情報及び前記比較情報を生成することを特徴とする請求項８記載の交換部品。
【請求項１０】
前記第２の通信部、前記認証データ格納部、及び前記認証情報制御部はメモリタグであり、該メモリタグを備えたことを特徴とする請求項７乃至９の何れかに記載の交換部品。
【発明の詳細な説明】
【技術分野】
【０００１】
本発明は、複数の交換部品を着脱自在に実装する画像形成装置、及び実装される交換部品に関するものである。
【背景技術】
【０００２】
従来、複写機、ファクシミリ、プリンタ等の電子写真方式の画像形成装置では、それぞれ現像剤としての所定のトナーを収容して像担持体に対向して配置される複数の現像装置を有し、対向する像担持体に形成された潜像を可視像化するものが一般的である。これらの現像装置のトナー補給部には、トナーを補給するメンテナンス時などに、外部からトナーカートリッジやトナーボトルなどのトナー補給容器が装着される。
【０００３】
このような従来の画像形成装置では、偽造のトナーカートリッジを抽出するため、トナーカートリッジ側の通信部と装置本体側の通信部との間で双方向通信を行い、トナーカートリッジ側の通信部から受信したトナーカートリッジに関する情報により、このトナーカートリッジが装置本体に適合しているか否かを判定し、装着したトナーカートリッジが不適合と判定した場合、通常と異なる画像形成条件、例えば帯電電位を高くしたり、露光光量を低くしてトナー消費量を多くしたり、定着温度を下げて定着性を悪化させて、不適合となったトナーカートリッジを偽造品として抽出するものが知られている（例えば、特許文献１参照）。
【先行技術文献】
【特許文献】
【０００４】
【特許文献１】特開２０００−２８４５８１号公報（第７，８頁、図８）
【発明の概要】
【発明が解決しようとする課題】
【０００５】
しかしながら、従来は、偽造のトナーカートリッジ抽出に、トナーカートリッジの個別情報が装置本体と適合するものかどうかを判定しているため、装置毎に異なる個別情報のトナーカートリッジが存在し、トナー成分及び外形は変わらないにも関わらず、装置間で互換性のないものとなるなどの不都合が生じるため、管理が大変になっているという問題があった。
【課題を解決するための手段】
【０００６】
本発明による画像形成装置は、交換部品を着脱自在に備える画像形成装置であって、
前記画像形成装置の全体を制御する装置制御部と、前記画像形成装置に与えられた認証データを格納する認証データ格納部と、前記画像形成装置内に備えられて前記交換部品と通信する第１の通信部とを備え、
前記交換部品は、前記第１の通信部と通信する第２の通信部と、複数種類の認証情報を格納可能な認証情報格納部と、前記通信により前記認証データを受けて、該認証データと前記認証情報格納部に格納された認証情報とから、認証の可否を判断した判定結果を出力する認証情報制御部とを備え、
前記装置制御部は、前記第１の通信部及び前記第２の通信部を介して取得した前記判定結果にもとづいて、装置制御の内容を決定することを特徴とする。
【０００７】
本発明による交換部品は、認証データが与えられ、第１の通信部を備えた画像形成装置に着脱自在に装着される交換部品であって、
前記第１の通信部と通信する第２の通信部と、複数種類の認証情報を格納可能な認証情報格納部と、前記通信により前記画像形成装置から前記認証データを受けて、該認証データと前記認証情報格納部に格納された認証情報とから、認証の可否を判断した判定結果を出力する認証情報制御部とを備えたことを特徴とする。
【発明の効果】
【０００８】
本発明によれば、交換部品が、自身を交換部品として認証する画像形成装置の認証データに相当する認証情報を複数格納可能なため、互換性のある交換部品も確実に認証し、装置の不適切な動作を防止することができる。また互換性のある交換部品を認識できるため、その管理も容易となる。
【図面の簡単な説明】
【０００９】
【図１】本発明に基づく実施の形態１の画像形成装置としてのカラープリンタの要部構成を示す要部構成図である。
【図２】図１に示すＲＦ通信部の内部ブロック図である。
【図３】図１に示すメモリタグの内部ブロック図である。
【図４】実施の形態１において、入出力データと共に認証情報制御部の要部構成を示すブロック図である。
【図５】認証情報格納部に格納されているデータの内容を示す構成図である。
【図６】実施の形態１におけるカラープリンタ全体の制御系の構成を説明するためのブロック図である。
【図７】実施の形態１において、機種や製造ロットの違いによって仕様が異なるカラープリンタ毎に、各認証データ格納部に格納されている認証データを示す説明図である。
【図８】実施の形態１において、カラープリンタが実行する認証動作の流れを示すフローチャートである。
【図９】実施の形態１において、認証動作のデータの流れを示す経路図である。
【図１０】実施の形態２において、仕様が異なるカラープリンタ毎に、各認証データ格納部に格納されている認証データを示す説明図である。
【図１１】実施の形態２において、入出力データと共に認証情報制御部の要部構成を示すブロック図である。
【図１２】実施の形態２において、カラープリンタが実行する認証動作の流れを示すフローチャートである。
【図１３】実施の形態２において、認証動作のデータの流れを示す経路図である。
【発明を実施するための形態】
【００１０】
実施の形態１．
図１は、本発明に基づく実施の形態１の画像形成装置としてのカラープリンタ１の要部構成を示す要部構成図である。同図に示すように、カラープリンタ１は、本体部１ａとトップカバー部１ｂとから構成される。
【００１１】
本体部１ａ内には、記録媒体格納部４、給紙ローラ５、走行系センサ６、第１レジストローラ７、走行系センサ８、第２レジストローラ９、走行系センサ１０、ブラック（Ｋ）用の画像形成ユニット２Ｋ、イエロー（Ｙ）用の画像形成ユニット２Ｙ、マゼンタ（Ｍ）用の画像形成ユニット２Ｍ、及びシアン（Ｃ）用の画像形成ユニット２Ｃ、定着部１６、走行系センサ１７、及び排出スタッカ部１８が、記録媒体３の搬送経路の上流側から順に配置されている。
【００１２】
各画像形成ユニット２Ｋ，２Ｙ，２Ｍ，２Ｃ（特に区別する必要のない場合には画像形成ユニット２とする）と対向する位置には、転写ローラ１５Ｋ，１５Ｙ，１５Ｍ，１５Ｃ（特に区別する必要のない場合には転写ローラ１５とする）が配置されている。４つの転写ローラ１５と画像形成ユニット２が各々対向して配置された搬送経路には、この間において記録媒体３を搬送する搬送ベルト１１を有する搬送ベルトユニット５０が備えられている。尚、画像形成ユニット２、転写ローラ１５、搬送ベルトユニット５０、及び後述するＬＥＤヘッド１２によって画像形成部が構成されている。
【００１３】
カラープリンタ１によって印刷される記録媒体３は、記録媒体格納部４によって複数枚積層された状態で格納される。給紙ローラ５は、記録媒体格納部４から記録媒体３を１枚ずつ給紙し、第１レジストローラ７及び第２レジストローラ９は、記録媒体格納部４から給紙ローラ５により給紙された記録媒体３を画像形成部まで搬送する。
【００１４】
記録媒体３の搬送経路において、各々第１レジストローラ７及び第２レジストローラ９の直前に設置された走行系センサ６及び走行系センサ８は、記録媒体３が到達したことを検出して各レジストローラの動作タイミングを得、第２レジストローラ９の後段に配置された走行系センサ１０は、到達した記録媒体３を検出することにより、この記録媒体３が画像形成部に至るタイミングを検知可能とする。
【００１５】
画像形成ユニット２Ｋ，２Ｙ，２Ｍ，２Ｃは、それぞれ交換部品としてのトナーカートリッジ１３Ｋ，１３Ｙ，１３Ｍ，１３Ｃ（特に区別する必要のない場合にはトナーカートリッジ１３とする）、及び感光体ドラム１４Ｋ，１４Ｙ，１４Ｍ，１４Ｃ（特に区別する必要のない場合には感光体ドラム１４とする）を備える。各トナーカートリッジ１３Ｋ，１３Ｙ，１３Ｍ，１３Ｃは、それぞれ、ブラック（Ｋ）、イエロー（Ｙ）、マゼンタ（Ｍ）、シアン（Ｃ）のトナーなどの現像剤を収納し、メモリタグ２３Ｋ，２３Ｙ，２３Ｍ，２３Ｃ（特に区別する必要のない場合にはメモリタグ２３とする）を備えている。各トナーカートリッジ１３は、収納するトナー残量が少なくなると交換が必要なため、本体部１ａに配置された画像形成ユニット２に対して着脱可能に構成されている。
【００１６】
各メモリタグ２３は、後述するデータ処理機能を備えている。各感光体ドラム１４は、静電気力によりドラム表面に印刷データに応じた静電潜像を形成可能な感光体ドラムであり、各静電潜像が色毎に異なるトナーなどの現像剤により現像化され、記録媒体３へ転写するトナー像を保持する。
【００１７】
各転写ローラ１５Ｋ，１５Ｙ，１５Ｍ，１５Ｃは、搬送ベルト１１を介して、それぞれ感光体ドラム１４Ｋ，１４Ｙ，１４Ｍ，１４Ｃと対峙して配設され、各感光体ドラム１４Ｋ，１４Ｙ，１４Ｍ，１４Ｃの外周面に形成された各色のトナー像を、搬送ベルト１１によって搬送される記録媒体３の画像形成面に順次重ねて転写する。感光体ドラム１４及び転写ローラ１５は、本体部１ａ内に配置された高圧電源１９により高電圧が印加され、これにより静電気的に帯電／現像／転写といった電子写真プロセスを可能とする。
【００１８】
定着部１６は、記録媒体３上に形成されたトナー像を熱と圧力により定着させる。記録媒体３の搬送経路において、この定着部１６の後段に配置される走行系センサ１７は、トナー画像が定着した記録媒体３を検知することにより、この記録媒体３が、最終的に排出スタッカ部１８に排出されたことを検知可能とする。
【００１９】
上記した各走行系センサ６，８，１０，１７は、ケーブルを介して後述するカラープリンタ制御部３７（図６参照）に接続されている。また、各ローラ（給紙ローラ５、第１レジストローラ７、第２レジストローラ９、感光体ドラム１４、転写ローラ１５及び定着部１６）は、図示しないアクチュエータによりメカ的に駆動され、記録媒体３を搬送経路の下流方向へ搬送することを可能としている。
【００２０】
一方トップカバー部１ｂには、ＬＥＤヘッド１２Ｋ，１２Ｙ，１２Ｍ，１２Ｃ（特に区別する必要のない場合にはＬＥＤヘッド１２とする）、ＲＦ通信部２１、ＲＦ通信部２１に電気的に接続されたアンテナ部２２Ｋ，２２Ｙ，２２Ｍ，２２Ｃ（特に区別する必要のない場合にはアンテナ部２２とする）、及び表示部２０が配置されている。
【００２１】
ＬＥＤヘッド１２Ｋ，１２Ｙ，１２Ｍ，１２Ｃは、それぞれ各画像形成ユニット２の感光体ドラム１４Ｋ，１４Ｙ，１４Ｍ，１４Ｃに対向可能に配置され、受信される印刷データに応じて光を照射する露光部であり、トップカバー部１ｂの開閉を妨げないように変位可能に支持されている。ＬＥＤヘッド１２は、トップカバー部１ｂが閉じられると、感光体ドラム１４の表面に近接し、露光可能となる。各ＬＥＤヘッド１２はケーブルを介して、カラープリンタ１の本体部１ａ内のカラープリンタ制御部３７に接続される。アンテナ部２２Ｋ，２２Ｙ，２２Ｍ，２２Ｃは、トップカバー部１ｂが閉じている段階で、画像形成ユニット２に装着されたトナーカートリッジ１３のそれぞれ対応するメモリタグ２３Ｋ，２３Ｙ，２３Ｍ，２３Ｃの近傍で対峙するように配置される。
【００２２】
表示部２０は、液晶表示パネル及びスイッチ等により構成されるプリント基板であり、ケーブルを介して後述するカラープリンタ制御部３７（図６参照）に接続され、カラープリンタ１の状態表示及びユーザによる入力操作を可能とする。液品表示パネルは、例えば２４文字×２行のキャラクタ（文字）を表示するものとする。
【００２３】
図２は、図１に示すＲＦ通信部２１の内部ブロック図である。尚、ＲＦ通信部２１は、各アンテナ２２Ｋ，２２Ｙ，２２Ｍ，２２Ｃに対応する同構成の回路を４組備えるものであるが、これらの各回路は同様に動作するため、ここでは簡単のため、これらを区別することなくアンテナ２２に対応する１組の回路を例示し、代表して説明する。このＲＦ通信部２１とアンテナ２２が第１の通信部に相当する。
【００２４】
ＲＦ通信部２１は、ＲＦ制御部２４、変調回路部２５、出力増幅部２６、受信アンプ部２７及び検波回路部２８により構成され、ケーブルを介してアンテナ部２２に接続されている。また、カラープリンタ１の本体部１ａ内のカラープリンタ制御部３７（図６参照）からケーブルを介して送信信号（送信データ、命令コマンド等を含む）及び電源が供給される。
尚、送信信号に含まれる送信データとしては、後述する認証データ（図４）や、メモリタグ２３の不揮発性メモリに格納するデータ等がある。
【００２５】
ＲＦ制御部２４は、後述するカラープリンタ制御部３７とのＩ／Ｆとなり、更にメモリタグ２３とのデータ読み出し／書き込み等の通信制御を実施する。例えば、送信信号（送信データ、命令コマンド等を含む）を入力すると、命令コマンドを解読して２値の信号データを生成して、変調回路部２５に出力する。
【００２６】
変調回路部２５は、ＲＦ制御部２４で生成した２値の信号データで搬送波をＡＳＫ（ａｍｐｌｉｔｕｄｅ  ｓｈｉｆｔ  ｋｅｙｉｎｇ）変調し、出力増幅部２６へ送る。出力増幅部２６は、ＡＳＫ変調された変調信号を増幅して送受信可能なアンテナ部２２へ送り、ＡＳＫ変調波（電波）として送信する。受信アンプ部２７は、アンテナ部２２で受信したメモリタグ２３からの後述する変調波を増幅し、検波回路部２８へ送る。検波回路部２８は受信信号を２値信号に復調し、ＲＦ制御部２４へ送る。尚、ＡＳＫ変調とは、搬送波の振幅にデータ情報を付加する変調方法である。
【００２７】
図３は、図１に示すメモリタグ２３の内部ブロック図である。尚、メモリタグ２３Ｋ，２３Ｙ，２３Ｍ，２３Ｃは、同一の構成のため、ここではこれらを区別することなく、メモリタグ２３として例示して説明する。
【００２８】
メモリタグ２３は、送受信アンテナ部２９、整流部３０、検波回路部３１、変調データ生成部３２、受信データ判定部３３、認証情報制御部３４、認証情報格納部３５、及び不揮発性メモリ３６により構成される。尚、このうち送受信アンテナ部２９、検波回路部３１、変調データ生成部３２、及び受信データ判定部３３が第２の通信部に相当する。
【００２９】
整流部３０は、送受信アンテナ部２９により受信された交番磁界を整流してメモリタグ２３の各部に電力を供給する。検波回路部３１は、送受信アンテナ部２９で受信したＡＳＫ変調波を２値の信号データに復調し、受信データ判定部３３に出力する。
【００３０】
受信データ判定部３３は、主に以下の信号処理を行う。
（１）入力した信号が検波回路部３１で復調された２値の信号データであった場合、この２値の信号データから受信データ、命令コマンド等を抽出し、命令コマンドのデコード結果が認証に関するものであれば、認証情報制御部３４にアクセスし、一方、命令コマンドのデコード結果が、認証が正常に終了した後のメモリデータの読み出し／書き込みの場合には、不揮発性メモリ３６へアクセスする。
（２）入力した信号が、後述するように認証情報制御部３４からの認証（比較）結果を示す判定データや、不揮発性メモリ３６からの読み出しデータ及び読み出し／書き込み結果であった場合、これらの応答データをそのままキャリア信号として変調データ生成部３２に出力する。
【００３１】
変調データ生成部３２は、入力した各種の応答データを例えばＡＳＫ変調して送受信アンテナ部２９に出力し、ＡＳＫ変調波（電波）として送信する。
【００３２】
図４は、入出力データと共に認証情報制御部３４の要部構成を示すブロック図である。同図に示すように、認証情報制御部３４は、複雑な論理回路で構成された、選択情報生成部３４ａ及び比較情報生成部３４ｂ、入力する情報を基に比較判定を行う比較判定部３４ｃから構成される。選択情報生成部３４ａは、後段の認証情報格納部３５（図３）から認証情報を取得するため、入力する認証データ（入力値）に論理演算を施し、選択情報（出力値）を得る。
【００３３】
ここで、選択情報とは、認証情報格納部３５のアドレス値である。この選択情報生成部３４ａを構成する論理演算回路ａは、解読困難な認証アルゴリズムで構成されている。比較情報生成部３４ｂは、入力される認証データ（入力値）に論理演算を施し、比較情報（出力値）を得る。ここで、比較情報とは、認証情報制御部３４の比較判定部３４ｃで比較判定に使用される情報である。この比較情報生成部３４ｂを構成する論理演算回路ｂは、解読困難な認証アルゴリズムで構成されている。
【００３４】
図５は、認証情報格納部３５に格納されているデータの内容を示す構成図である。同図に示すように、認証情報格納部３５には、複数の認証情報がアドレス毎に格納されている。例えば、アドレス１に認証情報１、アドレス２に認証情報２、…アドレスＮに認証情報Ｎというように格納されている。認証情報格納部３５は、認証情報制御部３４からアドレス値としての選択情報を入力すると、そのアドレスの認証情報を読み出して認証情報制御部３４に送信する。
【００３５】
不揮発性メモリ３６（図３）は、ＥＥＰＲＯＭ等の不揮発性メモリであり、受信データ判定部３３からアクセスがあった場合、そのアクセスに応じて、メモリデータの読み出し／書き込みを行うと共に、読み出し／書き込み結果を受信データ判定部３３に出力し、例えば、色、用途、仕向け先等の種別情報を保持している。
【００３６】
図６は、本実施の形態におけるカラープリンタ１全体の制御系の構成を説明するためのブロック図である。装置制御部としてのカラープリンタ制御部３７は、例えば本体部１ａに配置されてカラープリンタの各動作を制御するＣＰＵを備え、カラープリンタ１全体を制御するためのプログラムに従って各種処理を実行する。カラープリンタ制御部３７には、入出力ポートを介し、定着部１６、高圧電源１９、表示部２０、ＲＦ通信部２１、認証データ格納部３８が接続されている。また、図示しないが、各走行系センサ、アクチュエータも接続され制御される。
【００３７】
認証データ格納部３８は、ＥＥＰＲＯＭ等の不揮発性メモリであり、認証データが格納されている。図７は、機種や製造ロットの違いによって仕様が異なるカラープリンタ毎に、各認証データ格納部３８に格納されている認証データを示す説明図である。ここで、認証データは、メモリタグ２３を認証するためにメモリタグ２３へ送られる情報であり、図４に示すメモリタグ２３の認証情報制御部３４の選択情報生成部３４ａ及び比較情報生成部３４ｂに入力される情報である。図７に示すように、認証データは、仕様の異なるカラープリンタ毎にそれぞれ異なる情報が保持され、例えば、カラープリンタ１では認証データ１（“ＡＡＡ１”）、カラープリンタ２では認証データ２（“ＣＣＣ１”）、・・・・カラープリンタＮでは認証データＮがそれぞれ保持される。ここで、カラープリンタ１〜Ｎはそれぞれ仕様の異なるカラープリンタを示すものである。
【００３８】
尚、これらのカラープリンタ１〜Ｎは、例えば機種や製造ロットの違いによって仕様が異なるものであるが、同一の認証機能を有するものとする。
【００３９】
以上の構成において、先ずカラープリンタ１が実行する基本的な印刷動作について主に図1、図６を参照しながら説明する。
【００４０】
カラープリンタ１は、ＰＣ等の上位コントローラからの印刷指示を受けると、制御プログラムに基づいてカラープリンタ制御部３７により各動作が制御され、印刷動作を実行する。まず、モータ等の各アクチュエータが制御され、給紙ローラ５、第１レジストローラ７、第２レジストローラ９がメカ駆動することにより、記録媒体３が記録媒体格納部４からカラープリンタ内部へと搬送される。第１レジストローラ７及び第２レジストローラ９の駆動タイミングは、搬送される記録媒体３の位置が、走行系センサ６,８の走行系センサにより検知されることで決定される。
【００４１】
走行系センサ１０で記録媒体３の先端が検知されると、印刷プロセス動作が開始される。これにより高圧電源１９が制御されて、感光体ドラム１４の帯電、現像に必要な電圧が画像形成ユニット２の図示しない帯電手段、現像手段等に印加される。感光体ドラム１３のドラム表面は、図示しない帯電手段によって均一に帯電され、更に上位コントローラからの印刷データ信号に応じた記録光が、図示しないＬＥＤヘッド１２より照射され、露光される。露光された感光体ドラム１４のドラム表面上には、印刷データが静電潜像として形成されていく。このとき、感光体ドラム１４及び転写ローラ１５は、各アクチュエータにより記録媒体３を下流方向（矢印Ａ方向）へ搬送する方向に駆動されている。
【００４２】
感光体ドラム１４のドラム表面上に形成された静電潜像は、図示しない現像手段により、トナーカートリッジ１３から供給されたトナーによって現像され、感光体ドラム１４のドラム表面上にトナー像が形成される。転写ローラ１５には、高圧電源１９から所望の条件に応じた電圧が印加され、この転写ローラ１５により、感光体ドラム１４に形成されたトナー像が、搬送されてくる記録媒体３の表面に転写される。印刷データがカラー画像データであれば、各画像形成ユニット２と対応する転写ローラ１５によって各色のプロセス動作が実行され、記録媒体３の表面上に各色のトナー像が順次重ねて転写され、カラー画像が形成される。
【００４３】
画像が形成された記録媒体３は、定着部１６まで搬送され、熱と圧力により定着される。定着部１６は、ハロゲン等の発熱体を内蔵したローラを２つ有し、サーミスタ等の温度検出素子により定着温度が検知され、適切な定着温度で定着が行われるように温度制御されている。上記印刷プロセスを経た記録媒体３は、走行系センサ１７を通過し、排出スタッカ１８に排出される。
【００４４】
次に、カラープリンタ１が実行する認証動作について説明する。図８は、カラープリンタ１が実行する認証動作の流れを示すフローチャートであり、図９は、認証動作のデータの流れを示す経路図である。このフローチャートに基づいて、図１〜図７、図９を参照しながら実施の形態１の認証動作例について以下に説明する。尚、図９には、複数仕様のカラープリンタが記載されているが、これらのカラープリンタは互いに異なる認証データを格納する以外は同一の認証機能を有するため、ここではカラープリンタ１を例にして説明する。ここでは、カラープリンタ１に認証データ１（“ＡＡＡ１”）が格納され、カラープリンタ２には認証データ２（“ＣＣＣ１”）が格納されている。
【００４５】
カラープリンタ制御部３７は、装置の電源投入時或いはトップカバー１ｂ（図１）の開閉時を監視し（ステップＳ１０１）、これらのタイミングで、ＲＦ通信部２１を制御してトナーカートリッジ１３に組み込まれているメモリタグ２３を認証するために、ＲＦ通信を開始し、認証データをメモリタグ２３に送信する（ステップＳ１０２）。
【００４６】
即ち、電源投入時或いはトップカバー２の開閉時に、カラープリンタ制御部３７は、不揮発性メモリである認証データ格納部３８より、図７に示すようにアドレス０に保持された認証データを読み出す。ここでのカラープリンタ１の場合、認証データ１（“ＡＡＡ１”）である。カラープリンタ制御部３７により読み出されたこの認証データ１（“ＡＡＡ１”）は、ケーブルを介してＲＦ通信部２１のＲＦ制御部２４（図２）に、送信信号（認証データ１＋命令コマンド）として送られる。ＲＦ制御部２４は、この送信信号を受け取ると、命令コマンドを解読して２値の信号データを生成する。生成された２値の信号データは、変調回路部２５に出力される。変調回路部２５は、入力した信号データで搬送波をＡＳＫ変調する。ＡＳＫ変調された信号は、出力増幅部２６で増幅された後、アンテナ部２２より電波（ＡＳＫ変調波）として送信される。
【００４７】
アンテナ部２２より送信されたＡＳＫ変調波は、メモリタグ２３の送受信アンテナ部２９により受信され、認証データ１（“ＡＡＡ１”）が抽出されてメモリタグ２３の認証情報制御部３４（図３）に送られる（ステップＳ１０３）。
【００４８】
即ち、図３に示すメモリタグ２３では、ＡＳＫ変調データを受信することによって、アンテナ部２９の両端に発生する誘導電圧を整流部３０で整流してメモリタグ２３内部に電力として供給し、検波回路部３１で、受信したＡＳＫ変調データを２値の信号データに復調して受信データ判定部３３に出力する。受信データ判定部３３では、復調された信号データから受信データとしての認証データ１（“ＡＡＡ１”）、命令コマンドを抽出し、命令コマンドをデコードする。ここでは命令コマンドが認証に関するものとされているため、認証情報制御部３４にアクセスし、認証データ１（“ＡＡＡ１”）を認証情報制御部３４に送る。
【００４９】
認証情報制御部３４（図４）では、選択情報生成部３４ａにおいて、入力した認証データ１（“ＡＡＡ１”）から選択情報１（“０００１”）を生成して認証情報格納部３５（図５）に出力する（ステップＳ１０４）。
【００５０】
即ち、認証情報制御部３４は、図４に示すように、選択情報生成部３４ａ、比較情報生成部３４ｂ及び比較判定部３４ｃで構成されており、受信した認証データ１（“ＡＡＡ１”）を、選択情報生成部３４ａと比較情報生成部３４ｂに入力する。選択情報生成部３４ａは、複雑な論理演算回路ａで構成されており、入力したデータに対して論理演算を施し、認証情報格納部３５に格納されている認証情報を取得するための選択情報を生成する。
【００５１】
論理演算回路ａは、認証アルゴリズムに基づいて構成されたものであり、図４に示すように、入力した認証データに対応した選択情報が得られるようになっている。ここでは、カラープリンタ１の認証データ１（“ＡＡＡ１”）に対して、選択情報１（“０００１”）が得られる。この選択情報１（“０００１”）は後段の認証情報格納部３５のアドレス値に相当し、ここでは、アドレス１が選択されたことになる。
【００５２】
認証情報格納部３５では、選択情報１（“０００１”）に基づいて、アドレス１の認証情報（“ＢＢＢ１”）を選択して認証情報制御部３４に通知する（ステップＳ１０５）。
【００５３】
即ち、図５に示すように、認証情報格納部３５は、アドレス毎にそれぞれ認証情報が保持されており、認証データから生成された選択情報に対応した認証情報が選択されることになる。ここでは、アドレス１に格納されている認証情報１（“ＢＢＢ１”）が選択され、認証情報制御部３４の比較判定部３４ｃに送られる。
【００５４】
一方、認証情報制御部３４では、比較情報生成部３４ｂにおいて、入力した認証データ１（“ＡＡＡ１”）から比較情報１（“ＢＢＢ１”）を生成して比較判定部３４ｃに出力する（ステップＳ１０６）。
【００５５】
即ち、選択情報生成部３４ａと共に認証データ１（“ＡＡＡ１”）を入力する比較情報生成部３４ｂは、複雑な論理演算回路ｂで構成されており、入力したデータに対して論理演算を施し、ステップＳ１０５で取得した認証情報１（“ＢＢＢ１”）と比較するための比較情報を生成する。論理演算回路ｂは、認証アルゴリズムに基づいて構成されたものであり、図４に示すように、入力した認証データに対応した比較情報が得られるようになっている。ここでは、カラープリンタ１の認証データ１（“ＡＡＡ１”）に対して、比較情報１（“ＢＢＢ１”）が得られる。この比較情報１は、認証情報制御部３４内の比較判定部３４ｃに送られる。
【００５６】
認証情報制御部３４の比較判定部３４ｃでは、ステップＳ１０５とステップＳ１０６で得られた認証情報と比較情報とを比較する（ステップＳ１０７）。ここでは、認証情報１と比較情報１とが共に（“ＢＢＢ１”）であるため一致している。このように比較データが一致している場合（ステップＳ１０７、一致）、「認証ＯＫ」の比較結果が２値信号で表され、受信データ判定部３３を経由して変調データ生成部３２に送られる。変調データ生成部３２では比較結果の２値情報で、搬送波を例えばＡＳＫ変調し、送受信アンテナ２９より変調波として送信する（ステップＳ１０８）。
【００５７】
送信された変調波は、ＲＦ通信部２１（図２）のアンテナ２２で受信され、受信アンプ部２７で増幅された後、検波回路部２８において２値信号に復調され、ＲＦ制御部２４によりカラープリンタ制御部３７に送られる。ここでの２値信号は「認証ＯＫ」の比較結果を示すため、カラープリンタ制御部３７は、メモリタグ２３の不揮発性メモリ３６との通信を可能とし、カラープリンタ１をスタンバイ状態とするか、或いはカラープリンタ１の印刷動作を開始する（ステップＳ１０９）。
【００５８】
一方、ステップＳ１０７の比較で認証情報１と比較情報１とが一致していない場合（ステップＳ１０７、不一致）、「認証ＮＧ」の比較結果が２値信号で表され、受信データ判定部３３を経由して変調データ生成部３２に送られる。変調データ生成部３２では、比較結果の２値情報で、搬送波を例えばＡＳＫ変調し、送受信アンテナ２９より変調波として送信する（ステップＳ１１０）。
【００５９】
送信された変調波は、ＲＦ通信部２１（図２）のアンテナ２２で受信され、受信アンプ部２７で増幅された後、検波回路部２８において２値信号に復調され、ＲＦ制御部２４によりカラープリンタ制御部３７に送られる。ここでの２値信号は「認証ＮＧ」の比較結果を示すため、カラープリンタ制御部３７は、メモリタグ２３の不揮発性メモリ３６との通信を不可とし、表示部２０を制御してエラー情報、例えば“非純正品トナーです”を報知し、動作を停止する（ステップＳ１１１）。
【００６０】
尚、ここでは、図９に示すカラープリンタ１とトナーカートリッジ１３（図１）に備えられたメモリタグ２３との間で行われる認証処理について説明したが、仕様の異なる他のカラープリンタ２〜Ｎの場合も、同様の認証処理が行われるものである。
【００６１】
また、ここでは、図１に示すＲＦ通信部２１と特定しない１つのトナーカートリッジ１３に備えられたメモリタグ２３間で行われる認証処理について説明したが、カラー印刷の場合には４つのトナーカートリッジ１３Ｋ，１３Ｙ，１３Ｍ，１３Ｃとの間で、同様に認証処理が行われるものである。
【００６２】
以上のように、本実施の形態１のカラープリンタ及びトナーカートリッジによれば、トナーカートリッジに備えられたメモリタグに、そのトナーカートリッジを使用可能するカラープリンタに固有の認証データに対応する認証情報を複数格納可能としているため、このようなメモリタグを備えたトナーカートリッジを、複数の異仕様のカラープリンタで、これを認証して使用することができる。従って、カラープリンタ側としては、互換性のあるトナーカートリッジを認証によって間違いなく選択することが可能となり、トナーカートリッジ側としては、認証可能なカラープリンタにのみ使用されることが可能となる。
【００６３】
また、同じ認証情報を格納するメモリタグを備えたトナーカートリッジ同士は、その認証情報に対応する認証データが与えられたカラープリンタに対して互換性を持つもとして認識できるため、トナーカートリッジの管理がしやすくなる。
【００６４】
また、比較情報生成部３４ｂは、複雑な論理演算により比較情報を生成するため、その論理がわからない第３者にとっては、装置の情報がわかったとしても認証情報をメモリタグに書き込むことはできない。従って、不正にカートリッジを使用しようとすることを防止することができる。
更に、新たに仕様の異なる装置が開発された場合にも、従来のカートリッジのメモリタグに新たな装置の認証情報を追加することにより、旧装置及び新装置の何れにも共通にカートリッジを使用することができる。
【００６５】
実施の形態２．
図１０は、本発明に基づく実施の形態２において、機種や製造ロットの違いによって仕様の異なるカラープリンタ毎に、各認証データ格納部３８に格納されている認証データを示す説明図、図１１は、本発明に基づく実施の形態２において、入出力データと共に認証情報制御部３４の要部構成を示すブロック図である。
【００６６】
実施の形態２のカラープリンタが、前記した実施の形態１のカラープリンタ１と主に異なる点は、認証データ格納部３８に格納されている認証データが２種類である点である。従って、実施の形態２のカラープリンタが前記した実施の形態１のカラープリンタ１と共通する部分には同符号を付して、或いは図面を省いて説明を省略し、異なる点を重点的に説明する。尚、本実施の形態の画像形成装置の要部構成は、実施の形態１のカラープリンタの要部構成と共通するため、必要に応じて図１〜図６を参照する。
【００６７】
認証データ格納部３８は、ＥＥＰＲＯＭ等の不揮発性メモリであり、認証データが格納されている。図１０に示すように、ここでの認証データは、メモリタグ２３を認証するためにメモリタグ２３へ送られる情報であり、図４に示すメモリタグ２３の認証情報制御部３４の選択情報生成部３４ａ及び比較情報生成部３４ｂに入力される情報である。図１０に示すように、認証データは、仕様の異なるカラープリンタ毎にそれぞれ異なる情報が２個ずつ保持され、例えば、カラープリンタ１では認証データ１ａ及び認証データ１ｂ、カラープリンタ２では認証データ２ａ及び認証データ２ｂ、・・・・カラープリンタＮでは認証データＮａ及び認証データＮｂがそれぞれ保持される。ここで、カラープリンタ１〜Ｎはそれぞれ仕様の異なるカラープリンタを示すものである。
【００６８】
以上の構成において、本実施の形態のカラープリンタ１が実行する認証動作について説明する。
【００６９】
図１２は、本実施の形態のカラープリンタ１が実行する認証動作の流れを示すフローチャートであり、図１３は、認証動作のデータの流れを示す経路図である。このフローチャートに基づいて、図１〜図３、図５、図６、図１０、図１１、図１３を参照しながら実施の形態２の認証動作例について以下に説明する。尚、図１３には、複数仕様のカラープリンタが記載されているが、これらのカラープリンタは互いに異なる認証データを格納する以外は同一の認証機能を有するため、ここではカラープリンタ１を例にして説明する。ここでは、カラープリンタ１に認証データ１ａ（“ＡＡＡ１”）及び認証データ１ｂ（“ＡＡＡ２”）が格納され、カラープリンタ２には認証データ２ａ（“ＣＣＣ１”）及び認証データ２ｂ（“ＣＣＣ２”）が格納されている。
【００７０】
カラープリンタ制御部３７（図６）は、装置の電源投入時或いはトップカバー１ｂ（図１）の開閉時を監視し（ステップＳ２０１）、これらのタイミングで、ＲＦ通信部２１を制御してトナーカートリッジ１３に組み込まれているメモリタグ２３を認証するために、ＲＦ通信を開始し、認証データをメモリタグ２３に送信する（ステップＳ２０２）。
【００７１】
即ち、電源投入時或いはトップカバー２の開閉時に、カラープリンタ制御部３７は、不揮発性メモリである認証データ格納部３８より、図１０に示すようにアドレス０、１に保持された認証データを読み出す。ここでのカラープリンタ１の場合、認証データ１ａ（“ＡＡＡ１”）及び認証データ１ｂ（“ＡＡＡ２”）である。カラープリンタ制御部３７により読み出されたこの認証データ１ａ（“ＡＡＡ１”）及び認証データ１ｂ（“ＡＡＡ２”）は、ケーブルを介してＲＦ通信部２１のＲＦ制御部２４（図２）に、送信信号（認証データ１ａ、認証データ１ｂ＋命令コマンド）として送られる。ＲＦ制御部２４は、この送信信号を受け取ると、命令コマンドを解読して２値の信号データを生成する。生成された２値の信号データは、変調回路部２５に出力される。変調回路部２５は、入力した信号データで搬送波をＡＳＫ変調する。ＡＳＫ変調された信号は、出力増幅部２６で増幅された後、アンテナ部２２より電波（ＡＳＫ変調波）として送信される。
【００７２】
アンテナ部２２より送信されたＡＳＫ変調波は、メモリタグ２３の送受信アンテナ部２９により受信され、認証データ１ａ（“ＡＡＡ１”）及び認証データ１ｂ（“ＡＡＡ２”）が抽出されてメモリタグ２３の認証情報制御部３４（図３）に送られる（ステップＳ２０３）。
【００７３】
即ち、図３に示すメモリタグ２３では、ＡＳＫ変調データを受信することによって、アンテナ部２９の両端に発生する誘導電圧を整流部３０で整流してメモリタグ２３内部に電力として供給し、検波回路部３１で、受信されたＡＳＫ変調データを２値の信号データに復調して受信データ判定部３３に出力する。受信データ判定部３３では、復調された信号データから受信データとしての認証データ１ａ（“ＡＡＡ１”）及び認証データ１ｂ（“ＡＡＡ２”）、命令コマンドを抽出し、命令コマンドをデコードする。ここでは命令コマンドが認証に関するものとされているため、認証情報制御部３４にアクセスし、認証データ１ａ（“ＡＡＡ１”）及び認証データ１ｂ（“ＡＡＡ２”）を認証情報制御部３４に送る。
【００７４】
認証情報制御部３４（図１１）では、選択情報生成部３４ａにおいて、入力した認証データ１ａ（“ＡＡＡ１”）及び認証データ１ｂ（“ＡＡＡ２”）から選択情報１（“０００１”）を生成し認証情報格納部３５に出力する（ステップＳ２０４）。
【００７５】
即ち、認証情報制御部３４は、図１１に示すように、選択情報生成部３４ａ、比較情報生成部３４ｂ及び比較判定部３４ｃで構成されており、受信した認証データ１ａ（“ＡＡＡ１”）及び認証データ１ｂ（“ＡＡＡ２”）を、選択情報生成部３４ａと比較情報生成部３４ｂに入力する。選択情報生成部３４ａは、複雑な論理演算回路ａで構成されており、入力したデータに対して論理演算を施し、認証情報格納部３５に格納されている認証情報を取得するための選択情報を生成する。
【００７６】
論理演算回路ａは、認証アルゴリズムに基づいて構成されたものであり、図１１に示すように、入力した認証データに対応した選択情報が得られるようになっている。ここでは、カラープリンタ１の認証データ１ａ（“ＡＡＡ１”）及び認証データ１ｂ（“ＡＡＡ２”）に対して、選択情報１（“０００１”）が得られる。この選択情報１（“０００１”）は後段の認証情報格納部３５のアドレス値に相当し、ここでは、アドレス１が選択されたことになる。
【００７７】
認証情報格納部３５では、選択情報１（“０００１”）に基づいて、アドレス１の認証情報（“ＢＢＢ１”）を選択して認証情報制御部３４に通知する（ステップＳ２０５）。
【００７８】
即ち、図５に示すように、認証情報格納部３５は、アドレス毎にそれぞれ認証情報が保持されており、認証データから生成された選択情報に対応した認証情報が選択されることになる。ここでは、アドレス１に格納されている認証情報１（“ＢＢＢ１”）が選択され、認証情報制御部３４の比較判定部３４ｃに送られる。
【００７９】
一方、認証情報制御部３４では、比較情報生成部３４ｂにおいて、入力した認証データ１ａ（“ＡＡＡ１”）及び認証データ１ｂ（“ＡＡＡ２”）から比較情報１（“ＢＢＢ１”）を生成して比較判定部３４ｃに出力する（ステップＳ２０６）。
【００８０】
即ち、選択情報生成部３４ａと共に認証データ１ａ（“ＡＡＡ１”）及び認証データ１ｂ（“ＡＡＡ２”）を入力する比較情報生成部３４ｂは、複雑な論理演算回路ｂで構成されており、入力したデータに対して論理演算を施し、ステップＳ２０５で取得した認証情報１（“ＢＢＢ１”）と比較するための比較情報を生成する。論理演算回路ｂは、認証アルゴリズムに基づいて構成されたものであり、図１１に示すように、入力した認証データに対応した比較情報が得られるようになっている。ここでは、カラープリンタ１の認証データ１ａ（“ＡＡＡ１”）及び認証データ１ｂ（“ＡＡＡ２”）に対して、比較情報１（“ＢＢＢ１”）が得られる。この比較情報１は、認証情報制御部３４内の比較判定部３４ｃに送られる。
【００８１】
認証情報制御部３４の比較判定部３４ｃでは、ステップＳ２０５とステップＳ２０６で得られた認証情報と比較情報とを比較する（ステップＳ２０７）。ここでは、認証情報１と比較情報１とが共に（“ＢＢＢ１”）であるため一致している。このように比較データが一致している場合（ステップＳ２０７、一致）、「認証ＯＫ」の比較結果が２値信号で表され、受信データ判定部３３を経由して変調データ生成部３２に送られ、変調データ生成部３２で比較結果の２値情報で、搬送波を例えばＡＳＫ変調し、送受信アンテナ２９より変調波として送信する（ステップＳ２０８）。
【００８２】
送信された変調波は、ＲＦ通信部２１（図２）のアンテナ２２で受信され、受信アンプ部２７で増幅された後、検波回路部２８において２値信号に復調され、ＲＦ制御部２４によりカラープリンタ制御部３７に送られる。ここでの２値信号は「認証ＯＫ」の比較結果を示すため、カラープリンタ制御部３７は、メモリタグ２３の不揮発性メモリ３６との通信を可能となり、カラープリンタ１をスタンバイ状態とするか、或いはカラープリンタ１の印刷動作を開始する（ステップＳ２０９）。
【００８３】
一方、ステップＳ２０７の比較で認証情報１と比較情報１とが一致していない場合（ステップＳ２０７、不一致）、「認証ＮＧ」の比較結果が２値信号で表され、受信データ判定部３３を経由して変調データ生成部３２に送られる。変調データ生成部３２では、比較結果の２値情報で、搬送波を例えばＡＳＫ変調し、送受信アンテナ２９より変調波として送信する（ステップＳ２１０）。
【００８４】
送信された変調波は、ＲＦ通信部２１（図２）のアンテナ２２で受信され、受信アンプ部２７で増幅された後、検波回路部２８において２値信号に復調され、ＲＦ制御部２４によりカラープリンタ制御部３７に送られる。ここでの２値信号は「認証ＮＧ」の比較結果を示すため、カラープリンタ制御部３７は、メモリタグ２３の不揮発性メモリ３６との通信を不可とし、表示部２０を制御してエラー情報、例えば“非純正品トナーです”を報知し、動作停止する（ステップＳ２１１）。
【００８５】
尚、ここでは、図１３に示すカラープリンタ１とトナーカートリッジ１３（図１）に備えられたメモリタグ２３との間で行われる認証処理について説明したが、仕様の異なる他のカラープリンタ２〜Ｎの場合も、同様の認証処理が行われるものである。
【００８６】
また、ここでは、図１に示すＲＦ通信部２１と特定しない１つのトナーカートリッジ１３に備えられたメモリタグ２３間で行われる認証処理について説明したが、カラー印刷の場合には４つのトナーカートリッジ１３Ｋ，１３Ｙ，１３Ｍ，１３Ｃとの間で、同様に認証処理が行われるものである。
【００８７】
以上のように、本実施の形態２のカラープリンタ及びトナーカートリッジによれば、トナーカートリッジに備えられたメモリタグに、そのトナーカートリッジを使用可能するカラープリンタに固有の認証データに対応する認証情報を複数格納可能としているため、このようなメモリタグを備えたトナーカートリッジを、複数の異仕様のカラープリンタで、これを認証して使用することができる。従って、カラープリンタ側としては、互換性のあるトナーカートリッジを認証によって間違いなく選択することが可能となり、トナーカートリッジ側としては、認証可能なカラープリンタにのみ使用されることが可能となる。
【産業上の利用可能性】
【００８８】
上記した各実施の形態では、タンデム方式のカラープリンタに適用した例を説明したが、本発明はこれに限定されるもではなく、複写機、ファクシミリ等の印刷機能を有するＭＦＰ等であってもよい。またカラープリンタに関して説明したが、モノクロプリンタであってもよい。また、上記した各実施の形態では、メモリタグをトナーカートリッジに付けた例について説明したが、外部から認証データが入力される交換部品、例えば、感光体ドラムを備えた画像形成ユニット、搬送（転写）ベルト、或いは定着器等にメモリタグを付けて同様に認証を行うことも可能である。
【符号の説明】
【００８９】
１  カラープリンタ、  １ａ  本体部、  １ｂ  トップカバー部、  ２  画像形成ユニット、  ３  記録媒体、  ４  記録媒体格納部、  ５  給紙ローラ、  ６  走行系センサ、  ７  第１レジストローラ、  ８  走行系センサ、  ９  第２レジストローラ、  １０  走行系センサ、  １１  搬送ベルト、  １２  ＬＥＤヘッド、  １３  トナーカートリッジ、  １４  感光体ドラム、  １５  転写ローラ、  １６  定着部、  １７  走行系センサ、  １８  排出スタッカ部、  １９  高圧電源、  ２０  表示部、  ２１  ＲＦ通信部、  ２２  アンテナ部、  ２３  メモリタグ、  ２４  ＲＦ制御部、  ２５  変調回路部、  ２６  出力増幅部、  ２７  受信アンプ、  ２８  検波回路部、  ２９  送受信アンテナ部、  ３０  整流部、  ３１  検波回路部、  ３２  変調データ生成部、  ３３  受信データ判定部、  ３４  認証情報制御部、  ３４ａ  選択情報生成部、  ３４ｂ  比較情報生成部、  ３４ｃ  比較判定部、  ３５  認証情報格納部、  ３６  不揮発性メモリ、  ３７  カラープリンタ制御部、  ３８  認証データ格納部、  ５０  搬送ベルトユニット。
【図１】
2013049180.tif 000003
【図２】
2013049180.tif 000004
【図３】
2013049180.tif 000005
【図４】
2013049180.tif 000006
【図５】
2013049180.tif 000007
【図６】
2013049180.tif 000008
【図７】
2013049180.tif 000009
【図８】
2013049180.tif 000010
【図９】
2013049180.tif 000011
【図１０】
2013049180.tif 000012
【図１１】
2013049180.tif 000013
【図１２】
2013049180.tif 000014
【図１３】
2013049180.tif 000015